(57)【特許請求の範囲】
【請求項１】
部品から突出して設けられ先端に相互に離反する方向へ突出する係止用突起が設けられた少なくとも一対の弾性を有する取付脚を、被取付部に設けられた取付孔に取付ける部品取付構造であって、
前記一対の取付脚は、前記係止用突起よりも基端側の第１脚部においては先端に向かって互いに近づく方向へ傾斜し、前記第１脚部の先端側に連続する第２脚部においては先端に向かって互いに遠ざかる方向へ傾斜して形成され、
前記第２脚部には、前記被取付部の前記取付孔を係止する係止用突起が、互いに離反する方向へ突出して設けられ、
前記第１脚部は、前記係止用突起よりも前記基端側に設けられ、
前記取付脚の下部は前記部品の下面から下方へ突出し、かつ前記係止用突起の係止面と前記部品の下面との間に被取付部の板厚に相当する空間が設けられ、
前記係止用突起の各々間の間隔は、
少なくとも前記係止用突起の外側傾斜面の先端の間隔が、前記取付孔の、互いに対向する係止面間の間隔よりも小さくなるように、
かつ、前記取付脚を前記被取付部の前記取付孔に挿入すると、まず、前記取付脚の先端に設けられている前記係止用突起の前記外側傾斜面の一部に、前記取付孔の内面上端が当接するように、設定されており、
前記取付脚を前記取付孔に挿入した状態にて前記部品を前記被取付部側に移動させると、前記取付脚が前記取付穴の内側へ弾性変形させながら下降し、これに伴い、前記取付脚の各々は相互に接近する方向に変形していき、前記係止用突起が前記取付孔を貫通すると、前記第１脚部と前記第２脚部との相接部分が外側に広がり、前記係止用突起の係止面が前記被取付部の下面を係止する、ことを特徴とする部品取付構造。
【発明の詳細な説明】
【技術分野】
【０００１】
本発明は、照明器具用の電源端子台等の部品本体を器具本体にワンタッチで固定するための部品取付構造に関するものである。
【背景技術】
【０００２】
従来の部品をワンタッチで取付部に取付ける取付構造１００は、図４に示すように、取付孔１０１を形成した取付基板１０２に、部品１０３をワンタッチで取付けるものである（例えば特許文献１参照）。
部品１０３の側部には、一対の弾性を有する取付脚１０４、１０４が下方へ突設されており、両取付脚１０４、１０４には、相互に離反する方向に突出して係止用突起１０５が設けられている。各取付脚１０４において、先端部間の距離は、基端部間の距離よりも狭くなっている。
【０００３】
従って、部品１０３を取付基板１０２に取付ける際には、係止用突起１０５のテーパ部１０５ａを、取付基板１０２の取付孔１０１の内周面に当接させる。この状態で、部品１０３を取付基板１０２に接近させることにより、取付脚１０４の先端（すなわち、係止用突起１０５）が接近して取付孔１０１を通過し、その後取付脚１０４が弾性力により拡がって、係止用突起１０５が取付基板１０２の裏面に係止されることになる。
【特許文献１】特開平２−２８３９０９号公報（第１図）
【発明の開示】
【発明が解決しようとする課題】
【０００４】
しかしながら、従来の部品取付構造１００においては、部品１０３を引き抜く方向へ外力が作用した際に、係止用突起１０５のみで抵抗しているため、係止用突起１０５が破損しやすいという問題があった。また、取付脚１０４の角度によっては、引き抜き力が一対の取付脚１０４、１０４を近づける方向への力となり、部品１０３が取付基板１０２から脱落するおそれがあった。
【０００５】
本発明は、従来の問題を解決するためになされたもので、部品を被取付部から抜け難くするとともに、係止用突起を破損し難くする部品取付構造を提供することを目的とする。
【課題を解決するための手段】
【０００６】
本発明の部品取付構造は、部品から突出して設けられ先端に相互に離反する方向へ突出する係止用突起が設けられた少なくとも一対の弾性を有する取付脚を、被取付部に設けられた取付孔に取付ける部品取付構造であって、前記一対の取付脚は、前記係止用突起よりも基端側の第１脚部においては先端に向かって互いに近づく方向へ傾斜し、前記第１脚部の先端側に連続する第２脚部においては先端に向かって互いに遠ざかる方向へ傾斜して形成され、前記第２脚部には、前記被取付部の前記取付孔を係止する係止用突起が、互いに離反する方向へ突出して設けられ、前記第１脚部は、前記係止用突起よりも前記基端側に設けられ、前記取付脚の下部は前記部品の下面から下方へ突出し、かつ前記係止用突起の係止面と前記部品の下面との間に被取付部の板厚に相当する空間が設けられ、前記係止用突起の各々間の間隔は、少なくとも前記係止用突起の外側傾斜面の先端の間隔が、前記取付孔の、互いに対向する係止面間の間隔よりも小さくなるように、かつ、前記取付脚を前記被取付部の前記取付孔に挿入すると、まず、前記取付脚の先端に設けられている前記係止用突起の前記外側傾斜面の一部に、前記取付孔の内面上端が当接するように、設定されており、前記取付脚を前記取付孔に挿入した状態にて前記部品を前記被取付部側に移動させると、前記取付脚が前記取付穴の内側へ弾性変形させながら下降し、これに伴い、前記取付脚の各々は相互に接近する方向に変形していき、前記係止用突起が前記取付孔を貫通すると、前記第１脚部と前記第２脚部との相接部分が外側に広がり、前記係止用突起の係止面が前記被取付部の下面を係止する、構成を有している。
【０００７】
この構成により、一対の取付脚において係止用突起が設けられている第２脚部が、先端に向かって相互に離反して拡がる方向に傾斜しているので、部品を被取付部から引き抜く方向の力が作用すると、引き抜き力は第１脚部を拡げて第２脚部と一直線状になろうとする方向への力となる。このため、係止用突起は一層引っかかる方向へ付勢されるので、脱落し難くなる。また、引き抜き力の一部が、第１脚部を外側へ移動させようとする力となるので、係止用突起にかかる力を分散して、係止用突起を破損し難くすることができる。
【発明の効果】
【０００８】
本発明は、一対の取付脚において係止用突起が設けられている第２脚部が、先端に向かって相互に離反して拡がる方向に傾斜しているので、部品を被取付部から引き抜く方向の力が作用すると、引き抜き力は第１脚部を拡げて第２脚部と一直線状になろうとする方向への力となる。このため、係止用突起は一層引っかかる方向へ付勢されるので、脱落し難くなる。また、引き抜き力の一部が、第１脚部を外側へ移動させようとする力となるので、係止用突起にかかる力を分散して、係止用突起を破損し難くすることができるという効果を有する部品取付構造を提供することができるものである。
【発明を実施するための最良の形態】
【０００９】
以下、本発明の実施の形態の部品取付構造について、図面を用いて説明する。
図１は本発明にかかる部品取付構造の斜視図、図２は取付脚の拡大正面図、図３（Ａ）は挿入時の取付脚の拡大正面図、図３（Ｂ）は引き抜き力が作用したときの取付脚の拡大正面図である。
【００１０】
図１に示すように、本発明にかかる部品取付構造１０は、電源端子等の部品２０の左右両側面２１、２２に取付けられている取付部３０を介して、部品２０を照明器具等の被取付部１１に設けられている矩形状（丸孔であっても良い）の取付孔１２、１３に取付けるものである。なお、両側面２１、２２に設けられている取付部３０は全く同様のものを用いることができるので、以後、側面２１に設けられている取付部３０について説明する。
【００１１】
部品２０の側面に取付けられている取付部３０には、上部材３１と、この上部材３１の左右両端から被取付部１１に向かって（下方へ）伸びる一対の弾性を有する取付脚３２、３２とが設けられている。各取付脚３２は、基端側（上側）に第１脚部３３を有し、第１脚部３３の先端側（下側）には第２脚部３４を有している。各第１脚部３３は、先端に向かって相互に接近する方向へ傾斜しており、各第２脚部３４は、先端に向かって相互に離反する方向へ傾斜している。
【００１２】
第２脚部３４には、被取付部１１の取付孔１２を係止する係止用突起３５が、互いに離反する方向（外側）へ突出して設けられており、第１脚部３３は、係止用突起３５よりも基端側（上方）に設けられている。係止用突起３５は部品２０の下面２０ａとの間に被取付部１１を係止するため、取付脚３２の下部を部品２０の下面２０ａから下方へ突出させる。
【００１３】
このときの突出量は、係止用突起３５の係止面３５ａと部品２０の下面２０ａとの間に被取付部１１を係止することができるように、係止面３５ａと部品２０の下面２０ａとの間に被取付部１１の板厚ｔ（図３（Ａ）参照）に相当する空間が設けられる程度に設定する。また、両係止用突起３５、３５の間隔は、少なくとも係止用突起３５の外側傾斜面３５ｂの先端の間隔Ｄ１が、取付孔１２の対向する係止面１２ａ、１２ａの間隔Ｄ２（図３（Ａ）参照）よりも小さくなるように設定する。
【００１４】
次に、部品２０の取付動作について説明する。
図３（Ａ）に示すように、取付部３０を被取付部１１の取付孔１２に挿入すると、取付脚３２の先端に設けられている係止用突起３５の外側傾斜面３５ｂが取付孔１２の内面上端に当接する。
【００１５】
次いで、部品２０を被取付部１１側に押圧すると、図３（Ｂ）に示すように、取付脚３２を内側へ弾性変形させながら下降して、係止用突起３５が取付孔１２を貫通すると取付脚３２が外側へ復帰する。これにより、係止用突起３５の係止面３５ａが被取付部１１の下面を係止して、部品２０を被取付部１１に取付けることができる。なお、係止用突起３５が取付孔１２を通過する際に、一対の取付脚３２は相互に接近する方向に変形するが、第２脚部３４は先端に向かって外側へ拡がる方向に傾斜しているので、従来の取付脚のように取付脚の先端同士が当接する真っ直ぐな場合と比較して、係止用突起３５の突出量を大きくとることができる。
【００１６】
以上、説明した部品取付構造１０によれば、一対の取付脚３２、３２において係止用突起３５が設けられている第２脚部３４が、先端に向かって相互に離反して拡がる方向に傾斜しているので、部品２０を被取付部１１から引き抜く方向の力が作用すると、引き抜き力は第１脚部３３を拡げて第２脚部３４と一直線状になろうとする方向への力となる。このため、係止用突起３５は一層引っかかる方向へ付勢されるので、脱落し難くなる。また、引き抜き力の一部が、第１脚部３３を外側へ移動させようとする力となるので、係止用突起３５にかかる力を分散して、係止用突起３５を破損し難くすることができる。
【００１７】
なお、本発明の部品取付構造は、前述した実施形態に限定されるものでなく、適宜な変形，改良等が可能である。
例えば、前述した実施形態においては、取付部３０を部品２０の外側に一体成形により設けた場合について例示したが、取付部３０を別個に形成しておき、あとから部品２０に取り付けるようにすることもできる。
また、前述した実施形態においては、部品２０の量側面２１，２２に取付部３０を設けた場合について説明したが、取付部３０の個数は任意である。また、取付孔１２、１３の形状も任意である。
【図面の簡単な説明】
【００１８】
【図１】本発明にかかる部品取付構造の斜視図
【図２】取付脚の拡大正面図
【図３】（Ａ）は挿入時の取付脚の拡大正面図、（Ｂ）は引き抜き力が作用したときの取付脚の拡大正面図
【図４】従来の部品取付構造の斜視図
【符号の説明】
【００１９】
１０  部品取付構造
１１  被取付部
１２  取付孔
２０  部品
３２  取付脚
３３  第１脚部
３４  第２脚部
３５  係止用突起
【図１】
0005152978.tif 000002
【図２】
0005152978.tif 000003
【図３】
0005152978.tif 000004
【図４】
0005152978.tif 000005